(57)【要約】【課題】本発明は、ハウジングとベースの連結強度が強い駆動装置、カメラ装置及び電子機器を提供する。【解決手段】本発明による駆動装置は、ハウジングとベースを備え、ハウジングは外周側壁及び外周側壁の前側に連結する頂壁を含み、頂壁には光を通すための開口部が形成され、ベースがハウジングの後側においてハウジングを支持する。ハウジングの外周側壁の内周面には係止溝が形成され、ハウジングの外周側壁の係止溝に対応して、ベースの前側にはそれぞれ前側面から突出する側壁が設けられ、側壁には係止部材が設けられ、係止部材は係止溝に嵌め込まれる。【選択図】図１
2020154311.tif 000002
【特許請求の範囲】
【請求項１】
ハウジングとベースを備え、前記ハウジングは外周側壁及び前記外周側壁の前側に連結する頂壁を含み、前記頂壁には光を通すための開口部が形成され、前記ベースが前記ハウジングの後側において前記ハウジングを支持する駆動装置であって、
前記ハウジングの前記外周側壁の内周面には係止溝が形成され、
前記ハウジングの前記外周側壁における前記係止溝に対応して、前記ベースの前側にはそれぞれ前側面から突出する側壁が設けられ、前記側壁には係止部材が設けられ、
前記係止部材は、前記係止溝に嵌め込まれる
ことを特徴とする駆動装置。
【請求項２】
前記外周側壁に設けられる磁石と、
前記ハウジング内に設けられるレンズ支持体と、
前記レンズ支持体の前側、後側の少なくとも一方において前記レンズ支持体を支持するための弾性片と、
前記レンズ支持体の外周側に設けられたコイルと、を更に備える
ことを特徴とする請求項１に記載の駆動装置。
【請求項３】
前記レンズ支持体にはコイル巻付柱が設けられ、
前記ベースは前側面において、前記ベースの周縁にほぼ全周にわたり設けられた囲繞構造を含み、前記囲繞構造には回避切欠きが形成され、前記外周側壁の内周面には、前記回避切欠きの位置に合わせて回避開口が形成され、
前記囲繞構造の外周面は、前記外周側壁の後側における内周面と接着し、前記回避切欠きと前記回避開口は連通して回避通路を形成し、前記回避通路には前記コイル巻付柱が収容される
ことを特徴とする請求項２に記載の駆動装置。
【請求項４】
前記外周側壁の後側の端面は、さらに前記囲繞構造の外周面に隣接する前記ベースの前記前側面に接着される
ことを特徴とする請求項３に記載の駆動装置。
【請求項５】
前記側壁は、前記囲繞構造の一部である
ことを特徴とする請求項３に記載の駆動装置。
【請求項６】
前記ハウジングの各コーナー部に対応して、前記ベースの前記前側面には突出台が設けられ、
前記突出台に対応して、前記ハウジングの前記外周側壁には階段平面が設けられ、
前記階段平面は、前記突出台に接着される
ことを特徴とする請求項１に記載の駆動装置。
【請求項７】
前記ハウジングの各コーナー部に対応して、前記ベースの前記前側面には突出台が設けられ、
前記突出台に対応して、前記ハウジングの前記外周側壁には階段平面が設けられ、
前記階段平面は前記突出台に接着され、
前記突出台は前記囲繞構造の一部である
ことを特徴とする請求項３に記載の駆動装置。
【請求項８】
請求項１乃至７のいずれか一項に記載の駆動装置を備えたことを特徴とするカメラ装置。
【請求項９】
請求項８に記載のカメラ装置を備えたことを特徴とする電子機器。
【発明の詳細な説明】
【技術分野】
【０００１】
本発明は、駆動装置、カメラ装置及び電子機器に関する。
【背景技術】
【０００２】
電子機器におけるカメラ装置において、駆動装置はコイルに通電すると発生する磁場と、磁石が発生する磁場との相互作用によって、レンズをカメラ装置内で移動させ、合焦を実現している。
【発明の概要】
【発明が解決しようとする課題】
【０００３】
しかし、従来の市販されている駆動装置では、ハウジングとベースの連結面の面積が小さくて、連結強度が十分でない場合があった。
【０００４】
以上に鑑みて、本発明の目的は、ハウジングとベースの連結強度が高い駆動装置、カメラ装置及び電子機器を提供することである。
【課題を解決するための手段】
【０００５】
上記の目的を達成するために、本発明による駆動装置は、ハウジングとベースを備え、前記ハウジングは外周側壁及び前記外周側壁の前側に連結する頂壁を含み、前記頂壁には光を通すための開口部が形成され、前記ベースが前記ハウジングの後側において前記ハウジングを支持する駆動装置であって、前記ハウジングの前記外周側壁の内周面には係止溝が形成され、前記ハウジングの前記外周側壁における前記係止溝に対応して、前記ベースの前側にはそれぞれ前側面から突出する側壁が設けられ、前記側壁には係止部材が設けられ、前記係止部材は、前記係止溝に嵌め込まれることを特徴とする。
【０００６】
好ましくは、本発明による駆動装置は、前記外周側壁に設けられる磁石と、前記ハウジング内に設けられるレンズ支持体と、前記レンズ支持体の前側、後側の少なくとも一方において前記レンズ支持体を支持するための弾性片と、前記レンズ支持体の外周側に設けられたコイルと、を更に備える。
【０００７】
好ましくは、前記レンズ支持体にはコイル巻付柱が設けられ、前記ベースは前側面において、前記ベースの周縁にほぼ全周にわたり設けられた囲繞構造を含み、前記囲繞構造には回避切欠きが形成され、前記外周側壁の内周面には、前記回避切欠きの位置に合わせて回避開口が形成され、前記囲繞構造の外周面は、前記外周側壁の後側における内周面と接着し、前記回避切欠きと前記回避開口は連通して回避通路を形成し、前記回避通路には前記コイル巻付柱が収容される。
【０００８】
好ましくは、前記外周側壁の後側の端面は、さらに前記囲繞構造の外周面に隣接する前記ベースの前記前側面にも接着される。
【０００９】
好ましくは、前記側壁は、前記囲繞構造の一部である。
【００１０】
好ましくは、前記ハウジングの各コーナー部に対応して前記ベースの前記前側面には突出台が設けられ、前記突出台に対応して前記ハウジングの前記外周側壁には階段平面が設けられ、前記階段平面は、前記突出台に接着される。
【００１１】
好ましくは、前記ハウジングの各コーナー部に対応して前記ベースの前記前側面には突出台が設けられ、前記突出台に対応して前記ハウジングの前記外周側壁には階段平面が設けられ、前記階段平面は、前記突出台に接着され、前記突出台は前記囲繞構造の一部である。
【００１２】
また、本発明によるカメラ装置は、上述した駆動装置を備える。
【００１３】
さらに、本発明による電子機器は、上述したカメラ装置を備える。
【発明の効果】
【００１４】
本発明によれば、組立状態では係止部材が係止溝に嵌め込まれるため、ハウジングとベースの間が係止部材と係止溝の嵌め合わせによって固定され、これにより、ハウジングとベースを固定するときの堅牢度を高めることができ、ハウジングとベースの連結強度が高い駆動装置を得ることができる。
【図面の簡単な説明】
【００１５】
本発明の上記の特徴及びその他の特徴、性質及び利点は、以下の図面及び実施例に基づく説明からより明らかになるであろう。
【図１】本発明の一実施形態による駆動装置の分解模式図である。
【図２】駆動装置のベースの立体模式図である。
【図３】駆動装置のハウジングの立体模式図である。
【図４】駆動装置の断面模式図である。
【図５】駆動装置の組立状態での立体模式図である。
【発明を実施するための形態】
【００１６】
以下には、上記主題の技術案を実施する複数の異なる実施形態又は実施例を開示している。なお、開示内容を簡略化するために、各構成要素及び配列の具体的な実施例を以下に説明しているが、これらは例に過ぎず、本発明の保護範囲について限定するものではないことは言うまでもない。例えば、明細書では後述する第１特徴が第２特徴の上方又は上面に形成され、第１及び第２特徴が直接関連する方式で形成された実施形態を含んでもよく、第１及び第２特徴の間に付加的特徴を形成する実施形態を含んで、第１及び第２特徴の間が直接関連しなくもよい。また、これらの開示内容では、異なる例において図面の符号及び／又は文字を繰り返す可能性がある。この繰り返しは、簡潔さと明瞭さのためであり、それ自体は議論される様々な実施形態及び／又は構造間の関係を表すものではない。さらに、第１構成要素が第２構成要素と関連して、又は組み合わせて説明される場合、この説明には、第１及び第２構成要素同士が直接関連し、又は組み合わされる実施形態が含まれ、１つ又は複数の他の介在要素の追加により第１及び第２構成要素同士が間接的に関連し、又は組み合わされることを含んでもよい。
【００１７】
なお、使用する場合、以下の説明で上、下、左、右、前、後、頂、底、正、反、時計回り及び反時計回りは便宜上使用されることであり、特定の固定方向を意味するものではないことに注意すべきである。実際、これらは対象の各部分間の相対的な位置及び／又は方向を反映するために使用される。
【００１８】
本実施形態の駆動装置はカメラ装置に設けられ、レンズを光軸に沿って移動できるよう駆動して、合焦を行う。図１には本発明の一実施形態による駆動装置の分解模式図が示され、駆動装置は、ハウジング１と、ハウジング１の後側に設けられてハウジング１を支持するベース２と、を備え、ハウジング１内には、前側弾性片３、後側弾性片４、レンズ支持体５、磁石６及びコイル７がそれぞれ設けられている。図１に示す一点鎖線はレンズ８の光軸を示すものであり、レンズ８の中心を通り、駆動装置の軸及びハウジング１の軸に対応する。本実施形態において、レンズ８の光軸方向の被写体側を前側、その反対側を後側とする。
【００１９】
図２には駆動装置のベース２の立体模式図が示され、図３には駆動装置のハウジング１の立体模式図が示されている。ハウジング１は、その軸方向から見たときに四角形をなしており、外周側壁１６及び外周側壁１６の前側に連結する頂壁１７を有している。頂壁１７には、カメラ装置に光を通すための開口部１８が設けられている。ハウジング１の四角形の各辺の中央部において外周側壁１６の内側には係止溝１１４が形成されている。係止溝１１４は、各辺３本ずつ設けられており、すべて後端から軸方向の前側に延伸している。
【００２０】
ベース２は、その軸方向から見たときに四角形をなしており、ハウジング１の四角形はこのベース２の四角形に対応している。係止溝１１４に対応するベース２の各位置において、その前側面にはそれぞれ前側に突出した側壁１２５が設けられている。側壁１２５の外側を向いた面には、係止溝１１４の形状に対応して、係止部材１２４が突出して設けられている。即ち、係止部材１２４は、各辺３本ずつ設けられており、すべて側壁１２５の前端から軸方向の後側に延伸している。また、ベース２は、その周縁にほぼ全周にわたり設けられた囲繞構造２２を有している。
【００２１】
駆動装置の組み立て過程において、ハウジング１は前側からベース２に組み合わされる。このとき、係止溝１１４と係止部材１２４が同じ軸方向に延伸しているので、ハウジング１をベース２にスムーズに組み合わせることができる。通常、外周側壁１６の内側面と囲繞構造２２が接着固定され、さらに係止溝１１４と係止部材１２４が接着固定される。駆動装置の組立状態で、係止部材１２４は係止溝１１４に嵌め込まれ、これにより、ハウジング１とベース２の組立後の堅牢度をさらに高めている。
【００２２】
このように、組立状態では係止部材１２４が係止溝１１４に嵌め込まれるため、ハウジング１とベース２の間が係止部材１２４と係止溝１１４の嵌め合わせによって固定され、これにより、固定時のハウジング１とベース２の堅牢度を高めている。
【００２３】
本実施形態の一実施例は上記のようであるが、本実施形態の他の実施例において、駆動装置のハウジング１は多くの点において上記実施例よりももっと多くの詳細を有することができ、且つ、これらの詳細の少なくとも一部は様々な変化を有してもよい。以下、幾つかの実施例に基づいて、この詳細及び幾つかの変化中の少なくとも一部について説明する。
【００２４】
図４には駆動装置の断面模式図が示され、図４を参照して、駆動装置の他の構成について説明する。レンズ支持体５は、ハウジング１内に設けられ、レンズ８を支持するために使われる。前側弾性片３は、レンズ支持体５とハウジング１との間に設けられ、後側弾性片４は、レンズ支持体５とベース２との間に設けられ、前側弾性片３及び後側弾性片４は、ハウジング１内でレンズ支持体５を弾性的に支持するとともに、レンズ支持体５が駆動力の作用下で光軸方向（即ち、ハウジング１の軸方向）に沿って移動することを可能とする。ここで、図示と異なる実施形態において、前側弾性片３及び後側弾性片４は、レンズ支持体５の前側、後側の少なくとも一つの側に設けられても、レンズ支持体５を弾性的に支持する役割を果たすことができる。
【００２５】
コイル７は、レンズ支持体５の外周を取り囲むようにハウジング１の軸方向を巻回軸として巻回して設けられ、通電されるとレンズ支持体５の外周面に磁気回路を形成する。磁石６は、ハウジング１の内周側に設けられ、図３及び図４に示すように、磁石６は、磁石６の側面６０を介してハウジング１に吸着され、且つ、コイル７と所定の距離に離間して対向している。コイル７に電流を流したとき、コイル７は磁石６による外部磁場の作用でアンペル力を発生し、レンズ支持体及びレンズが光軸方向（即ち、ハウジング１の軸方向）に沿って移動するように駆動する。なお、巻回軸を光軸と直交する方向に有する四つのコイル７をレンズ支持体５の外周に固定して、磁石６と対向させてもよい。
【００２６】
図５は駆動装置の組立時の構成を示す立体模式図であり、図１に示すように、レンズ支持体５の外周側にはコイル巻付柱５１が設けられ、コイル巻付柱５１は、レンズ支持体５の径方向に沿って延伸し、駆動装置内においてコイル７の配線に使われる。図２に示すように、ベース２の前側の面には、前側に突出して延伸し且つベース２を囲んで設けられた囲繞構造２２が設けられている。囲繞構造２２は、 ベース２を周回して設けられる凸状リブであってもよい。囲繞構造２２には、破断部分があり、ベース２の回避切欠き２０を形成する。回避切欠き２０に対応するハウジング１の位置には、回避開口１６０が形成され、ハウジング１とベース２を組立てると、回避開口１６０と回避切欠き２０は、互いに突き合わされ且つ連通して、ハウジング１上の回避通路１００を形成する。図１〜図５から分かるように、組立状態において、ハウジング１とベース２は互いに突き合わされ、レンズ支持体５はハウジング１の中に収容される。この場合、回避通路１００は、レンズ支持体５のコイル巻付柱５１にハウジング１内における収容空間を提供する。組立状態で、レンズ支持体５におけるコイル巻付柱５１はハウジング１の回避通路１００内に直接収容されるため、ハウジングの内部にコイル巻付柱５１を配置するための空間を別途に用意する必要がなく、これにより、ハウジングのサイズを小さくすることができる。
【００２７】
また、本実施形態において、ハウジング１の外周側壁１６の後側端面は、ベース２の囲繞構造２２の外周面に隣接する前側面に接着することが好ましく、これにより、ハウジング１とベース２との接着の堅牢度を更に高めることができる。
【００２８】
また、本実施形態において、組立時、係止部材１２４と係止溝１１４の当接面に接着剤を塗布することが好ましく、係止部材１２４を係止溝１１４に接着させて、組立の堅牢度を更に増強することができる。
【００２９】
また、本実施形態において、側壁１２５はベース２の囲繞構造２２の一部であることが好ましく、これにより、一体成形によりベース２に囲繞構造２２及び側壁１２５を形成することができる。
【００３０】
図３に示すように、本実施形態において、ハウジング１は導磁材料で作られ、磁石６はハウジング１の内周側に吸着される。ハウジング１は内周側壁１４を更に備える。内周側壁１４は、頂壁１７の内周側に設けられた開口部１８の縁部から後側に向かって延伸し、且つ、各第２階段立壁１３１に対応してハウジング１の軸方向に直交する方向において互いに対向するように設けられている。詳しくは、内周側壁１４は、組立時に各磁石６に対応してハウジング１の軸の外側に設けられ、磁石６の磁場によって、内周側壁１４の所在領域が有効磁場領域となる。図４のように、コイル７は磁石６と内周側壁１４との間に設けられ、内周側壁１４と磁石６のコイルに対向する面との間には磁気回路が形成される。従って、コイル７に電流を流したとき、磁気回路は通電されたコイルに対しアンペル力を発生し、コイル７を駆動させる。
【００３１】
また、本実施形態において、ハウジング１は直方体に形成され、磁石６はハウジング１の四つのコーナー部１０に設けられ、ハウジング１の内部空間を確保した上で、ハウジングのサイズを小さくすることができる。なお、図示の構成と異なる構成を有する他の実施形態において、ハウジング１は、他の適切な多角形体の形であってもよい。
【００３２】
また、本実施形態において、ハウジング１の各コーナー部１０は、ハウジング１の厚み方向に沿って下に凹んでおり且つ階段状に形成された階段部１１を有している。階段部１１は、ハウジング１の軸方向の交差方向に沿って延伸した階段平面１１０を有している。これに対応して、ベース２は、ベース２の四隅からその前側に突出した突出台２１を備えている。組立状態で、ハウジング１はベース２と当接するが、このとき、突出台２１の台面２１０は、階段平面１１０の後側面（即ち、台面と対向する面）と接着するので、ハウジング１とベース２の連結の堅牢度を更に高めることができる。
【００３３】
さらに、本実施形態において、突出台２１は、ベース２の囲繞構造２２の一部であるため、ベース２を一体成形で作ることができる。
【００３４】
また、図１に示すように、本実施形態において、レンズ支持体５の外周側の中間部には、コイル係合溝５０が形成され、コイル７は、コイル係合溝５０の中に巻回して設けられることで、レンズ支持体５に固定される。コイル巻付柱５１はコイル係合溝５０の後方に設けられ、ハウジング１の回避通路１００の位置に対応している。
【００３５】
なお、駆動装置はカメラ装置に設けられており、レンズ８はカメラ装置のレンズである。カメラ装置の実施形態として、カメラ装置は、例えばノートパソコン、携帯電話などの電子機器に設けられる。
【００３６】
本発明は、上記のように好ましい実施例を開示しているが、本発明を限定するためのものではなく、当業者であれば、本発明の趣旨及び範囲から逸脱せず、変更や修正がなされ得る。従って、本発明の技術案の内容から逸脱しない限り、本発明の技術に基づいて以上の実施例に対して実質的に行う任意の修正、同等の変更及び修飾は、いずれも本発明の特許請求の範囲に含まれる。
【図１】
2020154311.tif 000003
【図２】
2020154311.tif 000004
【図３】
2020154311.tif 000005
【図４】
2020154311.tif 000006
【図５】
2020154311.tif 000007